【手続補正書】
【提出日】平成23年3月25日(2011.3.25)
【手続補正１】
【補正対象書類名】明細書
【補正対象項目名】０００８
【補正方法】変更
【補正の内容】
【０００８】
以上の課題を解決するため、請求項１に記載の発明は、反応装置であって、反応物が反応する反応部を有する反応装置本体と、前記反応装置本体を収容する第１の容器とを備え、前記第１の容器は前記反応装置本体からの輻射を透過する輻射透過窓を有し、前記反応装置本体の前記輻射透過窓との対向面には、前記反応装置本体の前記輻射透過窓との対向面を除く部分の外壁面よりも赤外領域の輻射率が高い輻射放熱膜が設けられていることを特徴とする。
【手続補正２】
【補正対象書類名】明細書
【補正対象項目名】０００９
【補正方法】変更
【補正の内容】
【０００９】
請求項２に記載の発明は、請求項１に記載の反応装置であって、前記第１の容器の前記輻射透過窓には、ＣａＦ2、ＢａＦ2、ＺｎＳｅ、ＭｇＦ2、ＫＲＳ−５、ＫＲＳ−６、ＬｉＦ、ＳｉＯ2、ＣｓＩ、ＫＢｒ、ＡｌＦ3、ＮａＣｌ、ＫＦ、ＫＣｌ、ＣｓＣｌ、ＣｓＢｒ、ＣｓＦ、ＮａＢｒ、ＣａＣＯ３、ＫＩ、ＮａＩ、ＮａＮＯ３、ＡｇＣｌ、ＡｇＢｒ、ＴｌＢｒ、Ａｌ2Ｏ3、ＢｉＦ3、ＣｄＳｅ、ＣｄＳ、ＣｄＴｅ、ＣｅＦ3、ＣｅＯ2、Ｃｒ2Ｏ3、ＤｙＦ2、Ｆｅ2Ｏ3、ＧａＡｓ、ＧａＳｅ、Ｇｄ2Ｏ3、Ｇｅ、ＨｆＯ2、ＨｏＦ3、Ｈｏ2Ｏ3、Ｌａ2Ｏ3、ＭｇＯ、ＮａＦ、Ｎｂ2Ｏ5、ＰｂＦ2、Ｓｉ、Ｓｉ3Ｎ4、ＳｒＦ2、ＴｌＣｌ、ＹＦ3、Ｙ2Ｏ3、ＺｎＯ、ＺｎＳ、ＺｒＯ2の少なくとも１つが用いられ、前記第１の容器の前記輻射透過窓を除く部分には、前記第１の容器の前記輻射透過窓よりも赤外領域の透過率が低い材料が用いられていることを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
請求項４に記載の発明は、請求項１〜３のいずれか一項に記載の反応装置であって、前記反応装置本体の少なくとも前記輻射透過窓との対向面を除く部分には、前記反応装置本体からの輻射を防止する輻射防止膜が設けられていることを特徴とする。
【手続補正６】
【補正対象書類名】明細書
【補正対象項目名】００１４
【補正方法】変更
【補正の内容】
【００１４】
請求項５に記載の発明は、請求項１に記載の反応装置であって、前記輻射放熱膜は、前記第１の容器内のガスを吸着する非蒸発型ゲッターにより形成されていることを特徴とする。
【手続補正７】
【補正対象書類名】明細書
【補正対象項目名】００１５
【補正方法】変更
【補正の内容】
【００１５】
請求項６に記載の発明は、請求項１〜５のいずれか一項に記載の反応装置であって、前記反応装置本体の外側であって前記第１の容器の内側は、大気圧よりも低い圧力であることを特徴とする。
【手続補正８】
【補正対象書類名】明細書
【補正対象項目名】００１６
【補正方法】変更
【補正の内容】
【００１６】
請求項７に記載の発明は、請求項１〜６のいずれか一項に記載の反応装置であって、前記反応部が前記輻射透過窓と対向配置されることを特徴とする。
【手続補正９】
【補正対象書類名】明細書
【補正対象項目名】００１７
【補正方法】変更
【補正の内容】
【００１７】
請求項８に記載の発明は、請求項１〜６のいずれか一項に記載の反応装置であって、前記反応装置本体は互いに異なる温度であり反応物がそれぞれ反応する２つ以上の反応部を有し、前記２つ以上の反応部のうち少なくとも１つが前記輻射透過窓と対向配置されることを特徴とする。
【手続補正１０】
【補正対象書類名】明細書
【補正対象項目名】００１８
【補正方法】変更
【補正の内容】
【００１８】
請求項９に記載の発明は、請求項１〜８のいずれか一項に記載の反応装置であって、前記反応部は燃料及び水を気化して混合気を生成する気化器を含み、前記輻射透過窓には、ＫＲＳ−５、ＫＲＳ−６、ＣｓＩ、ＫＢｒ、ＮａＣｌ、ＫＣｌ、ＣｓＣｌ、ＣｓＢｒ、ＮａＢｒ、ＫＩ、ＮａＩ、ＡｇＣｌ、ＡｇＢｒ、ＴｌＢｒ、ＣｄＳｅ、ＣｄＴｅ、Ｇｅの少なくとも１つが用いられていることを特徴とする。
【手続補正１１】
【補正対象書類名】明細書
【補正対象項目名】００１９
【補正方法】変更
【補正の内容】
【００１９】
請求項１０に記載の発明は、請求項１〜８のいずれか一項に記載の反応装置であって、前記反応部は気化された燃料及び水から改質ガスを生成する改質器を含み、前記輻射透過窓には、ＺｎＳｅ、ＫＲＳ−５、ＫＲＳ−６、ＣｓＩ、ＫＢｒ、ＮａＣｌ、ＫＣｌ、ＣｓＣｌ、ＣｓＢｒ、ＣｓＦ、ＮａＢｒ、ＫＩ、ＮａＩ、ＡｇＣｌ、ＡｇＢｒ、ＴｌＢｒ、ＢｉＦ3、ＣｄＳｅ、ＣｄＳ、ＣｄＴｅ、ＧａＡｓ、ＧａＳｅ、Ｇｅ、ＮａＦ、ＰｂＦ2、ＴｌＣｌ、ＹＦ3、ＺｎＯの少なくとも１つが用いられていることを特徴とする。
【手続補正１２】
【補正対象書類名】明細書
【補正対象項目名】００２０
【補正方法】変更
【補正の内容】
【００２０】
請求項１１に記載の発明は、請求項１〜１０のいずれか一項に記載の反応装置であって、前記反応部は、反応物の反応により電力を生成する燃料電池セルを含むことを特徴とする。
【手続補正１３】
【補正対象書類名】明細書
【補正対象項目名】００２１
【補正方法】変更
【補正の内容】
【００２１】
請求項１２に記載の発明は、請求項１１に記載の反応装置であって、前記燃料電池セルは溶融炭酸塩型であり、前記輻射透過窓には、ＣａＦ2、ＢａＦ2、ＺｎＳｅ、ＫＲＳ−５、ＫＲＳ−６、ＣｓＩ、ＫＢｒ、ＡｌＦ3、ＮａＣｌ、ＫＦ、ＫＣｌ、ＣｓＣｌ、ＣｓＢｒ、ＣｓＦ、ＮａＢｒ、ＫＩ、ＮａＩ、ＡｇＣｌ、ＡｇＢｒ、ＴｌＢｒ、ＢｉＦ3、ＣｄＳｅ、ＣｄＳ、ＣｄＴｅ、ＣｅＦ3、ＣｅＯ2、ＤｙＦ2、ＧａＡｓ、ＧａＳｅ、Ｇｄ2Ｏ3、ＨｆＯ2、Ｌａ2Ｏ3、ＮａＦ、ＰｂＦ2、Ｓｉ、ＴｌＣｌ、ＹＦ3、ＺｎＯ、ＺｎＳの少なくとも１つが用いられていることを特徴とする。
【手続補正１４】
【補正対象書類名】明細書
【補正対象項目名】００２２
【補正方法】変更
【補正の内容】
【００２２】
請求項１３に記載の発明は、
前記燃料電池セルは固体酸化物型であり、請求項１２に記載の反応装置であって、前記輻射透過窓には、ＣａＦ2、ＢａＦ2、ＺｎＳｅ、ＭｇＦ2、ＫＲＳ−５、ＫＲＳ−６、ＣｓＩ、ＫＢｒ、ＡｌＦ3、ＮａＣｌ、ＫＦ、ＫＣｌ、ＣｓＣｌ、ＣｓＢｒ、ＣｓＦ、ＮａＢｒ、ＫＩ、ＮａＩ、ＡｇＣｌ、ＡｇＢｒ、ＴｌＢｒ、ＢｉＦ3、ＣｄＳｅ、ＣｄＳ、ＣｄＴｅ、ＣｅＦ3、ＣｅＯ2、ＤｙＦ2、ＧａＡｓ、ＧａＳｅ、Ｇｄ2Ｏ3、ＨｆＯ2、Ｌａ2Ｏ3、ＭｇＯ、ＮａＦ、ＰｂＦ2、Ｓｉ、Ｓｉ3Ｎ4、ＳｒＦ2、ＴｌＣｌ、ＹＦ3、Ｙ2Ｏ3、ＺｎＯ、ＺｎＳの少なくとも１つが用いられていることを特徴とする。
【手続補正１５】
【補正対象書類名】明細書
【補正対象項目名】００２３
【補正方法】変更
【補正の内容】
【００２３】
請求項１４に記載の発明は、電子機器であって、請求項１１〜１３のいずれか一項に記載の反応装置と、前記燃料電池セルの電力により動作する電子機器本体とを備えることを特徴とする。
【手続補正１６】
【補正対象書類名】明細書
【補正対象項目名】００２４
【補正方法】変更
【補正の内容】
【００２４】
請求項１５に記載の発明は、請求項１４に記載の電子機器であって、前記輻射透過窓は、前記電子機器の外周面に沿って配置されることを特徴とすることを特徴とする。
【手続補正１７】
【補正対象書類名】特許請求の範囲
【補正対象項目名】全文
【補正方法】変更
【補正の内容】
【特許請求の範囲】
【請求項１】
反応物が反応する反応部を有する反応装置本体と、
前記反応装置本体を収容する第１の容器とを備え、
前記第１の容器は前記反応装置本体からの輻射を透過する輻射透過窓を有し、
前記反応装置本体の前記輻射透過窓との対向面には、前記反応装置本体の前記輻射透過窓との対向面を除く部分の外壁面よりも赤外領域の輻射率が高い輻射放熱膜が設けられていることを特徴とする反応装置。
【請求項２】
前記第１の容器の前記輻射透過窓には、ＣａＦ2、ＢａＦ2、ＺｎＳｅ、ＭｇＦ2、ＫＲＳ−５、ＫＲＳ−６、ＬｉＦ、ＳｉＯ2、ＣｓＩ、ＫＢｒ、ＡｌＦ3、ＮａＣｌ、ＫＦ、ＫＣｌ、ＣｓＣｌ、ＣｓＢｒ、ＣｓＦ、ＮａＢｒ、ＣａＣＯ３、ＫＩ、ＮａＩ、ＮａＮＯ３、ＡｇＣｌ、ＡｇＢｒ、ＴｌＢｒ、Ａｌ2Ｏ3、ＢｉＦ3、ＣｄＳｅ、ＣｄＳ、ＣｄＴｅ、ＣｅＦ3、ＣｅＯ2、Ｃｒ2Ｏ3、ＤｙＦ2、Ｆｅ2Ｏ3、ＧａＡｓ、ＧａＳｅ、Ｇｄ2Ｏ3、Ｇｅ、ＨｆＯ2、ＨｏＦ3、Ｈｏ2Ｏ3、Ｌａ2Ｏ3、ＭｇＯ、ＮａＦ、Ｎｂ2Ｏ5、ＰｂＦ2、Ｓｉ、Ｓｉ3Ｎ4、ＳｒＦ2、ＴｌＣｌ、ＹＦ3、Ｙ2Ｏ3、ＺｎＯ、ＺｎＳ、ＺｒＯ2の少なくとも１つが用いられ、
前記第１の容器の前記輻射透過窓を除く部分には、前記第１の容器の前記輻射透過窓よりも赤外領域の透過率が低い材料が用いられていることを特徴とする請求項１に記載の反応装置。
【請求項３】
前記第１の容器の全体には、ＣａＦ2、ＢａＦ2、ＺｎＳｅ、ＭｇＦ2、ＫＲＳ−５、ＫＲＳ−６、ＬｉＦ、ＳｉＯ2、ＣｓＩ、ＫＢｒ、ＡｌＦ3、ＮａＣｌ、ＫＦ、ＫＣｌ、ＣｓＣｌ、ＣｓＢｒ、ＣｓＦ、ＮａＢｒ、ＣａＣＯ３、ＫＩ，ＮａＩ，ＮａＮＯ３、ＡｇＣｌ、ＡｇＢｒ、ＴｌＢｒ、Ａｌ2Ｏ3、ＢｉＦ3、ＣｄＳｅ、ＣｄＳ、ＣｄＴｅ、ＣｅＦ3、ＣｅＯ2、Ｃｒ2Ｏ3、ＤｙＦ2、Ｆｅ2Ｏ3、ＧａＡｓ、ＧａＳｅ、Ｇｄ2Ｏ3、Ｇｅ、ＨｆＯ2、ＨｏＦ3、Ｈｏ2Ｏ3、Ｌａ2Ｏ3、ＭｇＯ、ＮａＦ、Ｎｂ2Ｏ5、ＰｂＦ2、Ｓｉ、Ｓｉ3Ｎ4、ＳｒＦ2、ＴｌＣｌ、ＹＦ3、Ｙ2Ｏ3、ＺｎＯ、ＺｎＳ、ＺｒＯ2の少なくとも１つが用いられていることを特徴とする請求項１に記載の反応装置。
【請求項４】
前記反応装置本体の少なくとも前記輻射透過窓との対向面を除く部分には、前記反応装置本体からの輻射を防止する輻射防止膜が設けられていることを特徴とする請求項１〜３のいずれか一項に記載の反応装置。
【請求項５】
前記輻射放熱膜は、前記第１の容器内のガスを吸着する非蒸発型ゲッターにより形成されていることを特徴とする請求項１に記載の反応装置。
【請求項６】
前記反応装置本体の外側であって前記第１の容器の内側は、大気圧よりも低い圧力であることを特徴とする請求項１〜５のいずれか一項に記載の反応装置。
【請求項７】
前記反応部が前記輻射透過窓と対向配置されることを特徴とする請求項１〜６のいずれか一項に記載の反応装置。
【請求項８】
前記反応装置本体は互いに異なる温度であり反応物がそれぞれ反応する２つ以上の反応部を有し、
前記２つ以上の反応部のうち少なくとも１つが前記輻射透過窓と対向配置されることを特徴とする請求項１〜６のいずれか一項に記載の反応装置。
【請求項９】
前記反応部は燃料及び水を気化して混合気を生成する気化器を含み、
前記輻射透過窓には、ＫＲＳ−５、ＫＲＳ−６、ＣｓＩ、ＫＢｒ、ＮａＣｌ、ＫＣｌ、ＣｓＣｌ、ＣｓＢｒ、ＮａＢｒ、ＫＩ、ＮａＩ、ＡｇＣｌ、ＡｇＢｒ、ＴｌＢｒ、ＣｄＳｅ、ＣｄＴｅ、Ｇｅの少なくとも１つが用いられていることを特徴とする請求項１〜８のいずれか一項に記載の反応装置。
【請求項１０】
前記反応部は気化された燃料及び水から改質ガスを生成する改質器を含み、
前記輻射透過窓には、ＺｎＳｅ、ＫＲＳ−５、ＫＲＳ−６、ＣｓＩ、ＫＢｒ、ＮａＣｌ、ＫＣｌ、ＣｓＣｌ、ＣｓＢｒ、ＣｓＦ、ＮａＢｒ、ＫＩ、ＮａＩ、ＡｇＣｌ、ＡｇＢｒ、ＴｌＢｒ、ＢｉＦ3、ＣｄＳｅ、ＣｄＳ、ＣｄＴｅ、ＧａＡｓ、ＧａＳｅ、Ｇｅ、ＮａＦ、ＰｂＦ2、ＴｌＣｌ、ＹＦ3、ＺｎＯの少なくとも１つが用いられていることを特徴とする請求項１〜８のいずれか一項に記載の反応装置。
【請求項１１】
前記反応部は、反応物の反応により電力を生成する燃料電池セルを含むことを特徴とする請求項１〜１０のいずれか一項に記載の反応装置。
【請求項１２】
前記燃料電池セルは溶融炭酸塩型であり、
前記輻射透過窓には、ＣａＦ2、ＢａＦ2、ＺｎＳｅ、ＫＲＳ−５、ＫＲＳ−６、ＣｓＩ、ＫＢｒ、ＡｌＦ3、ＮａＣｌ、ＫＦ、ＫＣｌ、ＣｓＣｌ、ＣｓＢｒ、ＣｓＦ、ＮａＢｒ、ＫＩ、ＮａＩ、ＡｇＣｌ、ＡｇＢｒ、ＴｌＢｒ、ＢｉＦ3、ＣｄＳｅ、ＣｄＳ、ＣｄＴｅ、ＣｅＦ3、ＣｅＯ2、ＤｙＦ2、ＧａＡｓ、ＧａＳｅ、Ｇｄ2Ｏ3、ＨｆＯ2、Ｌａ2Ｏ3、ＮａＦ、ＰｂＦ2、Ｓｉ、ＴｌＣｌ、ＹＦ3、ＺｎＯ、ＺｎＳの少なくとも１つが用いられていることを特徴とする請求項１１に記載の反応装置。
【請求項１３】
前記燃料電池セルは固体酸化物型であり、
前記輻射透過窓には、ＣａＦ2、ＢａＦ2、ＺｎＳｅ、ＭｇＦ2、ＫＲＳ−５、ＫＲＳ−６、ＣｓＩ、ＫＢｒ、ＡｌＦ3、ＮａＣｌ、ＫＦ、ＫＣｌ、ＣｓＣｌ、ＣｓＢｒ、ＣｓＦ、ＮａＢｒ、ＫＩ、ＮａＩ、ＡｇＣｌ、ＡｇＢｒ、ＴｌＢｒ、ＢｉＦ3、ＣｄＳｅ、ＣｄＳ、ＣｄＴｅ、ＣｅＦ3、ＣｅＯ2、ＤｙＦ2、ＧａＡｓ、ＧａＳｅ、Ｇｄ2Ｏ3、ＨｆＯ2、Ｌａ2Ｏ3、ＭｇＯ、ＮａＦ、ＰｂＦ2、Ｓｉ、Ｓｉ3Ｎ4、ＳｒＦ2、ＴｌＣｌ、ＹＦ3、Ｙ2Ｏ3、ＺｎＯ、ＺｎＳの少なくとも１つが用いられていることを特徴とする請求項１２に記載の反応装置。
【請求項１４】
請求項１１〜１３のいずれか一項に記載の反応装置と、前記燃料電池セルの電力により動作する電子機器本体とを備えることを特徴とする電子機器。
【請求項１５】
前記輻射透過窓は、前記電子機器の外周面に沿って配置されることを特徴とすることを特徴とする請求項１４に記載の電子機器。